(57)【要約】【課題】単線の素線又は棒状圧着端子を取付けた電線を配線する端子台において、線材を取り外すときの力を軽くするようにした端子台を提供する。【解決手段】板状の接続端子４と、接続端子と対向して配置され接続端子に線材７を押し付けて固定する押圧部１５ｇと、押圧部に押圧力を付与する弾性変形１５ａ部と、押圧力に抗して押動されたときに弾性変形部を弾性変形させて押圧部を線材から解放する解放部１５ｈが一体に形成された電線固定ばね１５を備えた端子台１１において、電線固定ばねの解放部１５ｈを弾性変形部１５ａから見て押圧部１５ｇよりも遠い位置に設けた構成としたものである。【選択図】図１
2009170207.tif 000002
【特許請求の範囲】
【請求項１】
板状の接続端子と、前記接続端子と対向して配置され、前記接続端子に線材を押し付けて固定する押圧部と、前記押圧部に押圧力を付与する弾性変形部と、前記押圧力に抗して押動されたときに前記弾性変形部を弾性変形させて前記押圧部を前記線材から解放する解放部が一体に形成された電線固定ばねを備えた端子台において、
前記電線固定ばねの前記解放部を前記弾性変形部から見て前記押圧部よりも遠い位置に設けたことを特徴とする端子台。
【請求項２】
前記電線固定ばねは、帯状の板ばねを略Ｖ字形状に彎曲させて前記弾性変形部を形成し、該弾性変形部の一側の平板部を支持部とし、他側の平板部をその中途位置で外側に折曲して前記接続端子と前記線材を貫通させる貫通孔を設けこの貫通孔の前記折曲した側の端面を前記押圧部とし、前記折曲した平板部の先端を前記弾性変形部から見て前記押圧部よりも突き出させて先端近傍位置を前記解放部としたことを特徴とする、請求項１に記載の端子台。
【請求項３】
前記接続端子と電線固定ばねは、ケースに収容され、前記ケースには前記線材を挿入する線材挿入孔と、前記電線固定ばねの押圧部を解放する解放部材を差し込む解放部材差込口が形成されていることを特徴とする、請求項１又は請求項２に記載の端子台。
【請求項４】
前記解放部材は、一側端部が前記ケース内に収容されて前記解放部に当接し、他側端部が前記解放部材差込口を挿通して前記ケースの外方に突出し、前記他側端部を押動することにより前記押圧部を前記線材から解放する押しボタンであることを特徴とする、請求項３に記載の端子台。
【発明の詳細な説明】
【技術分野】
【０００１】
本発明は、単線の素線又は棒状圧着端子を取付けた電線を配線する端子台に関する。
【背景技術】
【０００２】
単線の素線又は棒状圧着端子を取付けた電線（以下「線材」という）を配線する端子台として、線材を接続するときには工具を使用せずに端子台の線材挿入孔に線材を押し込んで接続固定し、取り外すときには端子台の工具差込口に工具を差し込んで或いは解放用のボタンを押して線材を解放する構造のものがある。
【０００３】
図６はこのような構造の端子台の一例を示し、端子台1は、ケース２と、ケース２内に収容された接続端子４と、電線固定ばね５等により構成されている。尚、ケース２は、左右対称の半割り型とされ実線で示す右側半分のケース３と２点鎖線で示す左側半分のケース３’とを合わせて箱状のケース２が形成されるが、内部構造を分かり易くするために左側半分のケース３’を省略して右側半分のケース３のみを描いてある。
【０００４】
ケース３は、上壁３ａの一側の側壁３ｂ近傍位置に線材としての電線６の素線７を挿入するための円形の線材挿入孔３ｅが形成され、略中央に線材を取り外すときに工具を挿入するための矩形状の工具差込口３ｆが形成されている。接続端子４は、板状をなし、素線７との接点部４ａが線材挿入孔３ｅの側壁３ｂ側開口縁部の下方かつ側壁３ｂの内面に当接して配置され、端子部４ｂが底部３ｄの孔３ｈに嵌挿固定されて下方に突出している。この端子部４ｂは、例えば図示しないリード線等に接続される。
【０００５】
電線固定ばね５は、帯状の板ばねが略Ｖ字形状に彎曲されて弾性変形部５ａが上壁３ａに向けて凸状をなして配置されている。弾性変形部５ａの一側の平板部５ｂが接続端子４と対向する側壁３ｃの内面に当接しかつ下端面が底部３ｄに当接している。また、弾性変形部５ａの他側の平板部５ｃが略斜め下方に延出してその先端部５ｄが接続端子４の接点部４ａの略中央に当接している。電線固定ばね５は、弾性変形部５ａのばね力により平板部５ｂが側壁３ｃに圧接し、平板部５ｃの先端部５ｄが接点部４ａに圧接されて支持されている。
【０００６】
端子台１に電線６を接続する場合には線材挿入孔３ｅから素線７を挿入し、図７に示すように素線７の先端部７ａにより電線固定ばね５の先端部５ｄを弾性変形部５ａのばね力に抗して押し広げて接続端子４の接点部４ａと電線固定ばね５の先端部５ｄとの間に押し込む。電線固定ばね５は、弾性変形部５ａのばね力により先端部５ｄが素線７を接続端子４の接点部４ａに押し付けて固定する。これにより、素線７が接続端子４に接続される。電線固定ばね５は、素線７に引き抜き方向の力が加わった場合、先端部５ｄの縁部（エッジ）が素線７の表面に食い込み素線７の抜けが防止される。
【０００７】
端子台１から素線７を取り外すときには、図８に示すようにケース３の工具差込口３ｆから平板状の工具（解放部材）８を押し込んで電線固定ばね５の平板部５ｃの略中央部５ｅを弾性変形部５ａのばね力に抗して押し下げて先端部５ｄを素線７の先端部７ａから解放する。これにより、素線７は、電線固定ばね５から解放されてケース３から引き抜く（取り外す）ことが可能となる。尚、工具８は、例えばマイナスドライバを使用することも可能である。
【０００８】
また、このようなタイプの端子台としてねじにより結線を行うねじ式端子とばね（前述した端子台の「電線固定ばね」に相当）により結線を行うばね式端子とを導通板により導通させ、１つの端子に複数の結線を要する場合はねじ式端子を利用し、１つの端子に１本の結線を行う場合はばね式端子を利用する。また、より多くの結線を行う場合は、導通板により接続されたねじ式端子とばね式端子の両方を利用する端子台が提案されている（例えば、特許文献１参照）。
【０００９】
そして、上記ばね式端子は、工具差込口に工具の先端を差し込んでばねを押さえつけて線材挿入孔に被覆を剥いだ線材を差し込み、工具を引き抜くことにより導電板に結線される。線材を取り外すときには、工具差込口に工具の先端を差し込んで線材を解放して引き抜くようになっている。
【特許文献１】特開平７−７３９１３号公報（２−３頁、図１）
【発明の開示】
【発明が解決しようとする課題】
【００１０】
図７に示した構造の端子台においては、素線７の先端部７ａを拘束するために必要な電線固定ばね（板ばね）５のばね力を得て、かつ取り付けの際に素線７の先端部７ａの強度で接続端子４の接点部４ａと電線固定ばね５の先端部５ｄとの間に十分に押し込みが可能になるように、電線固定ばね５の弾性変形部５ａと接続端子４の接点部４ａとの間に特定の距離が必要になる。
【００１１】
そして、この距離が特定された構造において取り外しのための工具押し込み位置（差し込み位置）を単純な構造を想定して決めると、弾性変形部５ａと先端部５ｄとの間の任意の位置になる。即ち、図９に示すように弾性変形部５ａが支点位置に相当し、押し込み位置（平板部５ｃの略中央部５ｅ）が力点に相当し、先端部５ｄが作用点に相当するので、支点と力点の距離は、弾性変形部５ａと先端部５ｄとの距離よりも短い長さに制約されている。
【００１２】
この結果、支点、力点、作用点の位置関係により力点（平板部５ｃの略中央部５ｅ）に加える押し込み力が大きく（重く）なっているために、電線６を引き抜く場合、工具８の押し込みには特定以上の押し込み力が要求される。そして、要求される押し込み力が作業者にとって大き過ぎることもあり、取り外しの作業に必要以上の労力がかかることがある。特許文献１に記載されている構造の端子台においても上述と同様の問題がある。
【００１３】
本発明の目的は、単線の素線又は棒状圧着端子を取付けた電線を配線する端子台において、線材を取り外すときの力を軽くするようにした端子台を提供することにある。
【課題を解決するための手段】
【００１４】
上述した課題を解決するために、本発明の請求項１に係る端子台は、
板状の接続端子と、前記接続端子と対向して配置され、前記接続端子に線材を押し付けて固定する押圧部と、前記押圧部に押圧力を付与する弾性変形部と、前記押圧力に抗して押動されたときに前記弾性変形部を弾性変形させて前記押圧部を前記線材から解放する解放部が一体に形成された電線固定ばねを備えた端子台において、
前記電線固定ばねの前記解放部を前記弾性変形部から見て前記押圧部よりも遠い位置に設けたことを特徴としている。
【００１５】
端子台に線材を接続する場合、線材挿入孔から線材を挿入する。線材は先端部により電線固定ばねの押圧部を弾性変形部のばね力に抗して押しながら接続端子との間を広げて押圧部との間に押し込まれる。線材を所定位置まで挿入して押し込み力を解除すると、電線固定ばねの押圧部が弾性変形部のばね力により線材を接続端子に押し付けて固定する。これにより、線材が端子台に接続される。
【００１６】
端子台から線材を取り外すときには、解放部材差込口から解放部材を押し込んで電線固定ばねの解放部を弾性変形部のばね力に抗して押し下げ、端子部材と押圧部との間を開いて線材から離す。これにより、線材が電線固定ばねの押圧部から解放されて引き抜く（取り外す）ことが可能となる。
【００１７】
電線固定ばねは、弾性変形部が支点に相当し、押圧部が作用点に相当し、解放部（押し込み位置）が力点に相当する。そして、解放部が弾性変形部から見て押圧部よりも突き出した位置（遠い位置）に設けられていることにより、弾性変形部と解放部との距離が弾性変形部と押圧部との距離よりも長くなる。
【００１８】
この結果、弾性変形部のばね強度が従来の電線固定ばねの弾性変形部のばね強度と同じ場合でも、解放部に加える押し込み力を大幅に小さく（軽く）することが可能となる。このため、作業者が端子台から電線を引き抜く（取り外す）場合、解放部材の押し込み力を軽くすることができ、作業者の労力を大幅に軽減することが可能となり作業性の向上が図られる。
【００１９】
また、本発明の請求項２に係る端子台は、請求項１に記載の端子台において、
前記電線固定ばねは、帯状の板ばねを略Ｖ字形状に彎曲させて前記弾性変形部を形成し、該弾性変形部の一側の平板部を支持部とし、他側の平板部をその中途位置で外側に折曲して前記接続端子と前記線材を貫通させる貫通孔を設けこの貫通孔の前記折曲した側の端面を前記押圧部とし、前記折曲した平板部の先端を前記弾性変形部から見て前記押圧部よりも突き出させて先端近傍位置を前記解放部としたことを特徴としている。
【００２０】
電線固定ばねは、弾性変形部が支点に相当し、押圧部が作用点に相当し、解放部（押し込み位置）が力点に相当する。そして、解放部が弾性変形部から見て押圧部よりも突き出した位置（遠い位置）に設けられていることにより、弾性変形部と解放部との距離が、弾性変形部と押圧部との距離よりも長くなる。この結果、弾性変形部のばね強度が従来の電線固定ばねの湾曲変形部のばね強度と同じ場合でも、解放部に加える押し込み力を大幅に小さくすることが可能となる。
【００２１】
また、本発明の請求項３に係る端子台は、請求項１又は請求項２に記載の端子台において、
前記接続端子と電線固定ばねは、ケースに収容され、前記ケースには前記線材を挿入する線材挿入孔と、前記電線固定ばねの押圧部を解放する解放部材を差し込む解放部材差込口が形成されていることを特徴としている。
【００２２】
端子台に線材を接続する場合、ケースの線材挿入孔から線材を挿入して先端部により電線固定ばねの押圧部を弾性変形部のばね力に抗して押し下げながら接続端子との間を広げて押圧部との間に押し込み、接続端子に固定する。端子台から線材を取り外すときには、ケースの解放部材差込口から解放部材を押し込んで電線固定ばねの解放部を押し下げ、端子部材と押圧部との間を広げて線材から離す。これにより、線材が押圧部から解放されて端子台から取り外すことが可能となる。
【００２３】
また、本発明の請求項４に係る端子台は、請求項３に記載の端子台において、
前記解放部材は、一側端部が前記ケース内に収容されて前記解放部に当接し、他側端部が前記解放部材差込口を挿通して前記ケースの外方に突出し、前記他側端部を押動することにより前記押圧部を前記線材から解放する押しボタンであることを特徴としている。
【００２４】
端子台に線材を接続する場合、ケースの線材挿入孔から線材を挿入して先端部により電線固定ばねの押圧部を弾性変形部のばね力に抗して押し下げながら接続端子との間を広げて押圧部との間に押し込み、接続端子に固定する。線材を外す場合には押しボタンの他端部を押し下げると、これに伴い一側端部が押し下げられて電線固定ばねの解放部を押し下げ接続端子と押圧部との間を開いて線材から解放する。これにより、端子台から線材を容易に取り外すことが可能となる。
【発明の効果】
【００２５】
本発明によると、電線固定ばねの解放部を弾性変形部から見て押圧部よりも遠い位置に設けたことにより、弾性変形部が弾性変形し易く（撓み易く）なり線材を取り外す際に電線固定ばねの解放部に加える力を大幅に軽減することが可能となり、作業者の負担を軽くすることができる。
【００２６】
また、端子台の解放部材差込口に解放部材として押しボタンを設けることにより、端子台から線材を取り外す際に特別な工具を必要とせず、簡単に取り外し作業を行うことが可能となり作業性の向上が図られる。
【発明を実施するための最良の形態】
【００２７】
以下、本発明の実施形態に係る端子台を図面に基づいて説明する。図１は本発明に係る端子台の一部を省略した斜視図を示し、端子台1１は、ケース１２と、ケース１２内に収容された線材に接続する接続端子１４と、接続端子に線材を固定する電線固定ばね１５等により構成されている。尚、ケース１２は、左右対称の反割り型とされ実線で示す右側半分のケース１３と２点鎖線で示す左側半分のケース１３’とを合わせて箱状のケース１２が形成されるが、内部構造を分かり易くするために左側半分のケース１３’を省略して右側半分のケース１３のみを描いてある。
【００２８】
ケース１３は、上壁１３ａの略中央に線材、例えば電線６の素線７を挿入するための円形の線材挿入孔１３ｅが形成されており、その外側開口端周縁部が面取りされて線材を挿入し易くなっている。そして、線材挿入孔１３ｅと一側の側壁１３ｂとの略中間位置に接続端子１４から素線７を解放するときに解放部材（工具）を差し込むための矩形状の解放部材差込口１３ｆが形成されており、その外側開口端周縁部が面取りされて解放部材を差し込み易くなっている。また、解放部材差込口１３ｆの内側開口端縁部にはガイド部１３ｇが立設されており、前記解放部材を真っ直ぐに差し込むことができるようになっている。
【００２９】
接続端子１４は、板状をなし、素線７と接触する接点部１４ａと他の接続部材と接続するための端子部１４ｂが一体に形成されている。この接続端子１４は、接点部１４ａが線材挿入孔１３ｅの解放部材差込口１３ｆのガイド部１３ｇ側の開口周縁部の下方位置に当該線材挿入孔１３ｅの軸線方向に沿って配置され、端子部１４ｂが底部１３ｄの孔１３ｈに嵌挿固定されて下方に突出している。
【００３０】
電線固定ばね１５は、接続端子１４の接点部１４ａよりも幅広の帯状の板ばねが略Ｖ字形状に彎曲されて弾性変形部１５ａが形成され、弾性変形部１５ａの一側の平板部１５ｂが支持部（以下「支持部１５ｂ」という）とされ、他側の平板部１５ｃがその中途位置、即ちケース１３の線材挿入孔１３ｅと対応する位置において斜め上方（外側）に向けて例えば、略９０°程度の傾斜をなして折曲されている。
【００３１】
そして、平板部１５ｃの自由端側の平板部１５ｄに折曲部１５ｅから先端側に接点部１４ａよりも僅かに幅の広い角形の貫通孔１５ｆが形成されており、該貫通孔１５ｆの折曲部１５ｅ側の端面が押圧部１５ｇとされている。そして、平板部１５ｄの先端部近傍部位が解放部１５ｈとされている。
【００３２】
この電線固定ばね１５は、図示のように弾性変形部１５ａが上方に凸をなしてケース１３に収容され、平板部１５ｂが側壁１３ｃの内側面に当接しかつ下端面が底部１３ｄに当接している。そして、平板部１５ｃが接続端子４の接点部１４ａの略中央部に向かって斜め下方に延出し貫通孔１５ｆに接点部１４ａが遊貫される。そして、押圧部１５ｇが当該接点部１４ａの線材挿入孔１３ｅ側の接続面１４ａ’に当接し、解放部１５ｈがケース１３の解放部材差込口１３ｆの真下に位置して配置されている。電線固定ばね１５は、弾性変形部１５ａのばね力（弾性力）により支持部１５ｂが側壁１３ｃに圧接し、押圧部１５ｇが接続面１４ａ’に圧接して支持されている。
【００３３】
そして、電線固定ばね１５は、解放部１５ｈが弾性変形部１５ａから見て押圧部１５ｇよりも突き出した位置、即ち解放部１５ｈが弾性変形部１５ａから見て押圧部１５ｇよりも遠い位置に設けられている。このようにして、右側のケース１３内に接続端子１４と電線固定ばね１５が収容され、２点鎖線で示す左側のケース１３’が装着されて端子台１１が形成される。
【００３４】
端子台１１に電線６の素線を接続する場合、線材挿入孔１３ｅから接続端子１４の接点部１４ａの接続面１４ａ’に当接させながら素線７を真っ直ぐに挿入する。素線７は、先端部７ａが電線固定ばね１５の押圧部１５ｇを弾性変形部１５ａのばね力に抗して押し下げながら接続面１４ａ’との間を広げて図２に示すように接点部１４ａと押圧部１５ｇとの間に押し込まれる。このとき、素線７がある程度の機械的強度を有しているので、電線固定ばね１５の解放部１５ｈを工具で押す必要はない。
【００３５】
素線７を所定位置まで挿入して押し込み力を解除すると、電線固定ばね１５の押圧部１５ｇが弾性変形部１５ａのばね力により素線７の先端部７ａを接触面１４ａ’に押し付けて固定する。これにより、端子台１１に素線７が接続される。電線固定ばね１５は、素線７に引き抜き方向の力が加わった場合、押圧部１５ｇのエッジが素線７の表面に食い込み、素線７の抜けを防止する。
【００３６】
端子台１１から素線７を取り外すときには、図３に示すようにケース１３の解放部材差込口１３ｆから解放部材としての平板状の工具８を押し込んで電線固定ばね１５の解放部１５ｇを弾性変形部１５ａのばね力に抗して弾性変形させて（撓ませて）押し下げ、端子部１４ａと押圧部１５ｇとの間を開いて押圧部１５ｇを素線７から離す。これにより、素線７は、電線固定ばね５の押圧部１５ｇから解放されて引き抜く（取り外す）ことが可能となる。尚、工具８として、例えばマイナスドライバを使用することも可能である。
【００３７】
ところで、本発明に係る端子台１１においては、図１に示すように電線固定ばね１５は、解放部１５ｈが弾性変形部１５ａから見て押圧部１５ｇよりも突き出した位置（遠い位置）に設けられている。そして、図４に示すように弾性変形部１５ａが支点に相当し、押圧部１５ｇが作用点に相当し、解放部（押し込み位置）１５ｈが力点に相当する。従って、支点としての弾性変形部１５ａと力点としての解放部１５ｈとの距離が、支点としての弾性変形部１５ａと作用点としての押圧部１５ｇとの距離よりも長く設定されていることになる。
【００３８】
この結果、支点としての弾性変形部１５ａと作用点としての押圧部１５ｇと力点としての解放部１５ｈとの位置関係により、弾性変形部１５ａのばね強度が図６に示した従来構造の電線固定ばね５の弾性変形部５ａのばね強度と同じ場合でも、力点としての解放部１５ｈに加える押し込み力を従来構造の場合に比べて大幅に小さく（軽く）することが可能となる。このため作業者が端子台１１から素線７を引き抜く（取り外す）場合、工具８の押し込み力を軽くすることができ、作業者の労力を大幅に軽減することが可能となる。
【００３９】
図５は、本発明に係る端子台１１の変形例を示し、ケース１２（図１参照）に電線固定ばね１５を解放するための解放部材を設けたものである。尚、図１に示す部材と同一部材には同一の符号を付して説明を省略する。図５に示すようにケース１３の解放部材差込口１３ｆには解放部材としての押しボタン１６が嵌挿されている。
【００４０】
押しボタン１６は棒状をなし、押圧部１６ａと押動部１６ｂからなる。押圧部１６ａは、解放部材差込口１３ｆよりも大きく形成されており、押動部１６ｂは、解放部材差込口１３ｆ内を摺動可能に挿通されて上方に突出し、上端に大径の操作部１６ｃが形成されて作業者が指先で押動し易くされている。
【００４１】
押しボタン１６は、電線固定部１５の押圧部１５ｇが素線７の先端部７ａを接続端子１４の接点部１４ａに押し付けて固定している図示の状態において、押圧部１６ａの先端面が電線固定ばね１５の解放部１５ｈに当接し、後端面が解放部材差込口１３ｆのガイド部１３ｇの下端に当接して保持されている。
【００４２】
電線６を外す場合には押しボタン１６の操作部１６ｃを押し下げると、これに伴い押動部１６ｂ、押圧部１６ａが押し下げられて、電線固定ばね１５の解放部１５ｈを押し下げ、端子部１４ａと押圧部１５ｇとの間を開いて当該押圧部１５ｇを素線７から離す。これにより、素線７を端子台１１から引き抜く（取り外す）ことが可能となる。このように、端子台１１に線材を解放するための押しボタン１６を設けておくことにより、専用の工具が不要となり作業性の向上が図られて好ましい。
【００４３】
上記説明したように本発明に係る端子台によると、弾性変形部のばね強度が従来の電線固定ばねの弾性変形部のばね強度と同じ場合でも、解放部に加える押し込み力を大幅に小さく（軽く）することが可能となる。このため、作業者が端子台から電線を引き抜く（取り外す）場合、解放部材の押し込み力を軽くすることができ、作業者の労力を大幅に軽減することが可能となり作業性の向上が図られる。
【００４４】
また、好ましくは、電線固定ばねは、帯状の板ばねを略Ｖ字形状に彎曲させて弾性変形部を形成し、一側を支持部とし、他側を中途位置で外側に折曲して接続端子と線材を貫通させる貫通孔を設け、貫通孔の折曲した側の端面を押圧部、先端を弾性変形部から見て押圧部よりも突き出させて先端近傍位置を解放部とする。これにより、弾性変形部のばね強度が従来の電線固定ばねの湾曲変形部のばね強度と同じ場合でも、解放部に加える押し込み力を大幅に小さくすることが可能となる。
【００４５】
また、好ましくは、接続端子と電線固定ばねをケースに収容し、ケースには線材を挿入する線材挿入孔と電線固定ばねの押圧部を解放する解放部材を差し込む解放部材差込口を形成する。端子台から線材を取り外すときにはケースの解放部材差込口から解放部材を押し込んで解放部を押し下げ、端子部材と押圧部との間を広げて線材から離す。これにより、線材が押圧部から解放されて端子台から取り外すことが可能となる。
【００４６】
また、好ましくは、解放部材は、一側端部がケース内に収容されて解放部に当接し、他側端部が解放部材差込口を挿通してケースの外方に突出する押しボタンとする。端子台から線材を外す場合、押しボタンを押し下げて電線固定ばねの解放部を押し下げ、接続端子と押圧部との間を開いて線材から解放する。これにより、端子台から線材を容易に取り外すことが可能となる。
【図面の簡単な説明】
【００４７】
【図１】本発明に係る端子台の一部省略斜視図である。
【図２】図１に示した端子台に電線の素線を接続する場合の説明図である。
【図３】図２に示した端子台に接続した素線を取り外す場合の説明図である。
【図４】図１に示した端子台の電線固定ばねの作用の説明図である。
【図５】図１に示した端子台の変形例を示し、電線固定ばねの解放部材を設けた場合の説明図である。
【図６】従来の端子台の一例を示す一部省略斜視図である。
【図７】図６に示した端子台に電線の素線を接続する場合の説明図である。
【図８】図７に示した端子台に接続した素線を取り外す場合の説明図である。
【図９】図６に示した端子台の電線固定ばねの作用の説明図である。
【符号の説明】
【００４８】
１    端子台
２    ケース
３    右側半分のケース
３ａ    上壁
３ｂ，３ｃ    側壁
３ｄ    底部
３ｅ    線材挿入孔
３ｆ    工具差込口
３ｈ    孔
３’    左側半分のケース
４    接続端子
４ａ    接点部
４ｂ    端子部
５    電線固定ばね
５ａ    弾性変形部
５ｂ，５ｃ    平板部
５ｄ    先端部
５ｅ    中央部
６    電線
７    素線
７ａ    先端部
８    解放部材（工具）
１１    端子台
１２    ケース
１３    右側半分のケース
１３ａ    上壁
１３ｂ，１３ｃ    側壁
１３ｄ    底部
１３ｅ    線材挿入孔
１３ｆ    解放部材差込口
１３ｇ    ガイド部
１３ｈ    孔
１３’    左側半分のケース
１４    接続端子
１４ａ    接点部
１４ａ’    接続面
１４ｂ    端子部
１５    電線固定ばね
１５ａ    弾性変形部
１５ｂ    平板部（支持部）
１５ｃ，１５ｄ    平板部
１５ｅ    折曲部
１５ｆ    貫通孔
１５ｇ    押圧部
１５ｈ  解放部
１６    押しボタン
１６ａ    押圧部
１６ｂ    押動部
１６ｃ    操作部
【図１】
2009170207.tif 000003
【図２】
2009170207.tif 000004
【図３】
2009170207.tif 000005
【図４】
2009170207.tif 000006
【図５】
2009170207.tif 000007
【図６】
2009170207.tif 000008
【図７】
2009170207.tif 000009
【図８】
2009170207.tif 000010
【図９】
2009170207.tif 000011